(57)【要約】      （修正有）【課題】歩行、走行運動時に、エンドレスベルトが左又は右にずれることを防止すると共に、使用者がエンドレスベルトから後方に落下しにくいようにした運動器具を提供する。【解決手段】本体フレーム６と、本体フレーム６の前後部にそれぞれ左右方向に回転自在に配設された前・後ローラと、これらローラに前後方向に循環回送可能に巻掛けられたエンドレスベルト９と、本体フレーム６の前部に立設された手摺フレーム２を有する。手摺フレーム２に、使用者の腰部及び腹部に着脱自在に巻付けられる骨盤矯正ベルト３が備えられている。【選択図】図１
0003154336.tif 000002
【実用新案登録請求の範囲】
【請求項１】
前部にフレームが立設され、歩行、走行運動を行うための運動器具において、
フレームに、使用者の腰部及び腹部に着脱自在に巻付けられる骨盤矯正ベルトが備えられた運動器具。
【請求項２】
Ａ．本体フレームと、
Ｂ．本体フレームに前後方向に循環回送可能に備えられたエンドレスベルトと、
Ｃ．本体フレームの前部に立設された手摺フレーム
を有する運動器具において、
手摺フレームに骨盤矯正ベルトが備えられた請求項１記載の運動器具。
【請求項３】
本体フレームの前後部に、それぞれ、左右方向に配設された前・後ローラが回転自在に備えられて、
これらローラにエンドレスベルトが巻掛けられると共に、
エンドレスベルトの上面側の下方に、使用者の体重を支える支持フレームが配設された請求項２記載の運動器具。
【請求項４】
骨盤矯正ベルトが、
Ａ．使用者の腰部に巻付けられるベルト本体と、
Ｂ．ベルト本体の各端部に、それぞれ、備えられ、分離自在に接続されて、腹部に巻き    付けられる左右接続部と、
Ｃ．一方の接続部に備えられ、手摺フレームに着脱自在に取付けられる取付ベルト
を有する請求項２又は３記載の運動器具。
【請求項５】
ベルト本体内に、軟質又は軟質弾性材料から成る介装体が備えられた請求項４記載の運動器具。
【請求項６】
ベルト本体に接続ベルトの長手方向中途部が取付けられ、
接続ベルトの各端部側がベルト本体の各端部から長手方向外方に延設され、
接続ベルトの各端部が各接続部とされた請求項４又は５記載の運動器具。
【請求項７】
両接続部の一方に、面ファスナーの雄型連結片を有する雄連結部が備えられ、
他方に、面ファスナーの雌型連結片を有し且つ雄連結部が分離自在に連結される雌連結部が備えられた請求項４〜６の何れかに記載の運動器具。
【請求項８】
接続ベルトにおける、ベルト本体の一端部から長手方向外方に延設された部分が取付リングに挿通、固定され、
取付リングに取付ベルトの中央部が挿通、固定され、
取付ベルトの各端部側が、それぞれ、
手摺フレームに巻付けられて、着脱自在に取付けられる取付部
とされ、
各取付部の長手方向一端部側に、面ファスナーの雄型連結片を有する雄連結部が備えられ、
他端部側に、面ファスナーの雌型連結片を有し且つ雄連結部が分離自在に連結される雌連結部が備えられた請求項４〜７の何れかに記載の運動器具。
【考案の詳細な説明】
【技術分野】
【０００１】
本考案は、室内で手軽に歩行運動（ウォーキング）又は走行運動（ランニング）を行うための運動器具に関する。
【背景技術】
【０００２】
従来、エンドレスベルトタイプの歩行、走行運動用の運動器具として、床に載置する本体フレームと、本体フレームに前後方向に循環回送可能に備えられたエンドレスベルトと、本体フレームの前部に立設された手摺フレームを有するものがある（例えば、特許文献１参照）。このものでは、使用者が屋外に出る必要がないため、気象条件や道路の交通量等に関係なく、使用者の都合の良い時間に安全に歩行、走行運動を行える利点がある。
【０００３】
ところが、上記従来の運動器具には、歩行、走行運動時に、使用者を正しい姿勢に保持する手段が備えられていなかった。そのため、例えば、骨盤が歪んでいる使用者の場合には、体のバランスが悪いため、歩行、走行運動時に、体が左又は右に傾むいて、正しい姿勢で歩行、走行運動を行えず、良好な運動効果を得ることができできないと共に、左右の各足からエンドレスベルトに掛かる荷重に大きな差が生じ、これにより、エンドレスベルトが左又は右にずれるという問題があった。又、上記従来の運動器具には、上記のように、使用者を保持する手段が備えられていなかったため、歩行、走行運動時に、使用者がエンドレスベルトから後方に落下し易いという問題もあった。
【先行技術文献】
【特許文献】
【０００４】
【特許文献１】登録実用新案３０６１０５３号公報
【考案の概要】
【考案が解決しようとする課題】
【０００５】
本考案は、歩行、走行運動時に、使用者を正しい姿勢に保持して、体のバランスを良好に保つことで、体が左又は右に傾むくことを防止し、正しい姿勢で歩行、走行運動を行えるようにして、良好な運動効果を得ることができるようにし、しかも、エンドレスベルトタイプの運動器具の場合には、歩行、走行運動時に、エンドレスベルトが左又は右にずれることを防止すると共に、使用者がエンドレスベルトから後方に落下しにくいようにした運動器具を提供することを目的とする。
【課題を解決するための手段】
【０００６】
上記目的を達成するために、本考案の特徴とするところは、前部にフレームが立設され、歩行、走行運動を行うための運動器具において、フレームに、使用者の腰部及び腹部に着脱自在に巻付けられる骨盤矯正ベルトが備えられた点にある。
尚、Ａ．本体フレームと、Ｂ．本体フレームに前後方向に循環回送可能に備えられたエンドレスベルトと、Ｃ．本体フレームの前部に立設された手摺フレームを有する運動器具において、手摺フレームに骨盤矯正ベルトが備えられることもある。
又、本体フレームの前後部に、それぞれ、左右方向に配設された前・後ローラが回転自在に備えられて、これらローラにエンドレスベルトが巻掛けられると共に、  エンドレスベルトの上面側の下方に、使用者の体重を支える支持フレームが配設されることもある。  更に、骨盤矯正ベルトが、Ａ．使用者の腰部に巻付けられるベルト本体と、Ｂ．ベルト本体の各端部に、それぞれ、備えられ、分離自在に接続されて、腹部に巻き付けられる左右接続部と、Ｃ．一方の接続部に備えられ、手摺フレームに着脱自在に取付けられる取付ベルトを有することもある。
又、ベルト本体内に、軟質又は軟質弾性材料から成る介装体が備えられることもある。  更に、ベルト本体に接続ベルトの長手方向中途部が取付けられ、接続ベルトの各端部側がベルト本体の各端部から長手方向外方に延設され、接続ベルトの各端部が各接続部とされることもある。
又、両接続部の一方に、面ファスナーの雄型連結片を有する雄連結部が備えられ、他方に、面ファスナーの雌型連結片を有し且つ雄連結部が分離自在に連結される雌連結部が備えられることもある。
更に、接続ベルトにおける、ベルト本体の一端部から長手方向外方に延設された部分が取付リングに挿通、固定され、取付リングに取付ベルトの中央部が挿通、固定され、取付ベルトの各端部側が、それぞれ、手摺フレームに巻付けられて、着脱自在に取付けられる取付部とされ、各取付部の長手方向一端部側に、面ファスナーの雄型連結片を有する雄連結部が備えられ、他端部側に、面ファスナーの雌型連結片を有し且つ雄連結部が分離自在に連結される雌連結部が備えられることもある。
【考案の効果】
【０００７】
本考案によれば、歩行、走行運動時に、使用者を正しい姿勢に保持できて、体のバランスを良好に保つことができ、これにより、体が左又は右に傾むくことを防止できて、正しい姿勢で歩行、走行運動を行うことができ、良好な運動効果を得ることができる。
又、請求項２記載の考案のようなエンドレスベルトタイプの運動器具の場合において、歩行、走行運動時に、上記のように、体が左又は右に傾くことを防止できるので、エンドレスベルトが左又は右にずれる惧れを小さくできると共に、前部に立設されたフレームに骨盤矯正ベルトが取付けられているので、使用者がエンドレスベルトから後方に落下する惧れも小さくできる。
請求項５記載の考案によれば、軟質材料又は軟質の弾性材料から成る介装体がベルト本体内に備えられているので、骨盤矯正ベルトにおける、ベルト本体の腰部への当たりを柔らかいものとでき、骨盤矯正ベルトの着け心地を良好なものとできる。
【図面の簡単な説明】
【０００８】
【図１】本考案の実施の形態の一例の使用状態を示す斜視図である。
【図２】本考案の実施の形態の一例における、骨盤矯正ベルトを取り外した状態を示す斜視図である。
【図３】図２の折畳体勢を説明するための斜視図である。
【図４】図２のＡ−Ａ線矢視一部断面図である。
【図５】本考案の実施の形態の一例における、骨盤矯正ベルトを手摺フレームに取付けた状態を示す平面図である。
【図６】図５における、骨盤矯正ベルトを手摺フレームに取付ける前の状態を示す平面図である。
【図７】図５における、骨盤矯正ベルトの手摺フレームへの取付を説明するための平面図である。
【図８】骨盤矯正ベルトの一部の背面図である。
【図９】図８のＢ−Ｂ線矢視断面図である。
【図１０】図６の一部拡大図である。
【図１１】図５のＣ−Ｃ線矢視断面図である。
【考案を実施するための形態】
【０００９】
以下、本考案の実施の形態の一例を図面に基づき説明すると、図１〜図３に示すように、運動器具（エンドレスベルトタイプのウォーキングマシン、ランニングマシン、トレッドミル）は、使用者が歩行運動又は走行運動を行うもので、器具本体１と、手摺フレーム２と、骨盤矯正ベルト３と、計測表示装置４等を有し、図１及び図２に示すような使用時の体勢である使用体勢と、折畳んだ体勢である折畳体勢に体勢変更可能とされている。尚、図３は、運動器具が折畳体勢になる直前の体勢を示している。
【００１０】
図４にも示すように、器具本体１は、床等に前上がりの傾斜状に載置されるもので、本体フレーム６と、前・後ローラ７，８と、エンドレスベルト９と、支持フレーム１０等を有する。本体フレーム６はスチール製とされ、前後方向に配置される左右一対の側部フレーム１１を有する。各側部フレーム１１は、後端部に、床等に載置されるゴム製又は合成樹脂製の接地体１２が備えられている。前・後ローラ７，８は合成樹脂製とされ、左右の側部フレーム１１の前端部間と後端部間に、それぞれ、左右方向に配置されると共に、左右の側部フレーム１１に左右方向の支軸１２，１３により回転自在に備えられている。エンドレスベルト９はゴム製又は軟質の合成樹脂製とされて、前・後ローラ７，８に巻掛けられ、前後方向に循環回送可能とされている。尚、エンドレスベルト９の長さは従来よりも長くされて、使用者がエンドレスベルト９から後方に落下する惧れが小さくされている。支持フレーム１０はスチール製とされて、使用者の体重、即ち、使用者の足からエンドレスベルト９に作用する荷重を支持するもので、前・後ローラ７，８間における、エンドレスベルト９の上面側の下方に配置されて、上下方向に面状を呈し、各側部フレーム１１に固定されている。尚、エンドレスベルト９に使用者から体重（荷重）が作用していない状態では、エンドレスベルト９と支持フレーム１０間には隙間が形成されている。
【００１１】
手摺フレーム２はスチール製の丸パイプから成るもので、床等に立設され、運動器具の使用体勢時には、図１及び図２に示すように、器具本体１の前部を支持すると共に、使用者の手摺として使用され、又、運動器具の折畳体勢時には、器具本体１が略内有状とされて、器具本体１の全体を支持するもので、載置部１５と、手摺部１６を有する。載置部１５は、器具本体１の前端部の下方に配置されて、床等に載置され、平面視において、前方に開口するＵ型状とされている。載置部１５の前部には、床等と接地するゴム製又は合成樹脂製の接地体（図示省略）が備えられ、載置部１５の左右両端部の後端部には、運動器具の折畳体勢時に、床等を転動する運動器具移動用の移動ローラ１８が回転自在に備えられている。手摺部１６は、載置部１５の左右両端部上に立設されるもので、正面視において、下方に開口する倒立Ｕ型状とされている。手摺部１６の左右両側部の下部には、各側部フレーム１１が、その前端部を介して、支軸１２により回転自在に備えられ、これにより、運動器具は使用体勢と折畳体勢に体勢変更可能とされている。尚、固定ネジ１９が、手摺部１６の一側部と一方の側部フレーム１１のネジ孔２０〜２２等に挿通、螺結されることにより、運動器具は使用体勢と折畳体勢に固定される。
【００１２】
図５〜図７に示すように、骨盤矯正ベルト３（腰部保持ベルト、姿勢矯正ベルト）は、手摺フレーム２の手摺部１６の上端部の中央部に取付けられると共に、使用者の腰部及び腹部に巻付けられて、運動器具の使用時、即ち、歩行、走行運度時に腰部を正しく保持することで、歪んだ骨盤を矯正し、使用者の姿勢を正しい姿勢とするもので、非伸縮性とされ、ベルト本体２３と、接続ベルト２４と、取付リング２５と、取付ベルト２６を有する。
【００１３】
ベルト本体２３は使用者の腰部に巻付けられるもので、図８及び図９に示すように、略楕円形状とされた２枚の軟質の合成樹脂製の布地２７を重合わせて、それらの外周縁に軟質の合成樹脂製の補強用布地２８を全周にわたって重合わせ、縫合して、一体化すると共に、２枚の布地２７間に軟質又は軟質弾性材料から成る介装体（挿入体）２９を内装することで、構成されている。介装体２９の材料としては、例えば、発泡ポリエチレン（ＥＶＡフォーム）、発泡ポリウレタン（ポリウレタンフォーム）等が使用される。
【００１４】
接続ベルト２４は軟質の合成樹脂製とされて、その長手方向中途部がベルト本体２３の外面に長手方向に沿って縫合、固定されて、その左右の各端部側は、それぞれ、ベルト本体２３の左右の各端部よりも長手方向外方に延設されているが、接続ベルト２４の左側部分は、その右側部分よりも、接続ベルト２４から大きく延設されている。そして、上記左側部分は、Ｄ型状とされた金属製の取付リング２５に挿入される共に、重合わされて、縫合されており、これにより、上記左側部分に取付リング２５が取付けられている。接続ベルト２４の左右各端部は接続部３２，３３とされているが、右側の接続部３３における、接続ベルト２４の中央より部分はベルト本体２３の外面に縫合、固定されている。図１０及び図１１にも示すように、接続ベルト２４の接続部３２，３３の一方（図例では、左側接続部３２）の外面には、面ファスナーの雄型連結片（図示省略）を有する雄連結部３２Ａが固設され、他方の内面には、面ファスナーの雌型連結片（図示省略）を有し且つ雄連結部３２Ａが分離自在に連結される雌連結部３３Ａが固設されている。
【００１５】
取付ベルト２６は軟質の合成樹脂製とされ、その中央部が取付リング２５に挿通され、重合わされて、縫合され、これにより、上記中央部に取付リング２５が取付けられている。取付ベルト２６の各端部側は、手摺フレーム２に着脱自在に取付けられる一対の取付部３５，３６とされている。接続ベルト２４の場合と同様に、各取付部３５，３６の外面における、端部側と中央部側の一方（図例では、端部側）には、面ファスナーの雄型連結片（図示省略）を有する雄連結部３５Ａ，３６Ａが固設され、他方には、面ファスナーの雌型連結片（図示省略）を有し且つ雄連結部３５Ａ，３６Ａが分離自在に連結される雌連結部３５Ｂ，３６Ｂが固設されている。
【００１６】
計測表示装置４は、運動距離、運動速度、運動時間、消費カロリー等を表示するもので、手摺フレーム２の手摺部１６の上端部の中央部に着脱自在に取付けられる表示メーター３８と、支軸１２の右端部に固定されたリング体３９と、リング体３９の右側面に固設された被検知体（図示省略）と、手摺部１６の右端部の下部に取付けられたセンサー（図示省略）を有する。センサーは表示メーター３８と接続されており、被検知体を検知した際に、検出信号を表示メーター３８に出力する。表示メーター３８は検出信号を基に運動距離等を算出する。
【００１７】
上記構成例によれば、歩行、走行運動時には、運動器具を使用体勢とした後、骨盤矯正ベルト３を使用者の腰部及び腹部に巻付けて、図６に示すように、接続ベルト２４の両接続部３２，３３における、面ファスナーの雄連結部３２Ａと雌連結部３３Ａを対応させ、図５に示すように、分離自在に接続する。この際、軟質材料又は軟質の弾性材料から成る介装体２９がベルト本体２３内に備えられているので、骨盤矯正ベルト３における、ベルト本体２３の腰部への当たりを柔らかいものとでき、骨盤矯正ベルト３の着け心地を良好なものとできる。
【００１８】
次に、図７に示すように、取付ベルト２６の各取付部３５，３６を、雄・雌連結部３５Ａ，３６Ａ，３５Ｂ，３６Ｂを上にした状態で、手摺フレーム２の手摺部１６の上端部における、表示メーターの左右両側部の下方に配置した後、各取付部３５，３６を手前（後方）に折返すことで、図５に示すように、各取付部３５，３６の対応する雄・雌連結部３５Ａ，３６Ａ，３５Ｂ，３６Ｂを分離自在に連結して、各取付部３５，３６を手摺部１６に巻付けるように取付ける。
【００１９】
この状態で、使用者は、エンドレスベルト９上に乗って、歩行運動又は走行運動を行うのであるが、この際、使用者は、腰部及び腹部が骨盤矯正ベルト３により保持されているので、歪んだ骨盤が矯正され、使用者は正しい姿勢に保持される。それ故、歩行、走行運動時に、使用者を正しい姿勢に保持できて、体のバランスを良好に保つことができ、これにより、体が左又は右に傾くことを防止できて、正しい姿勢で歩行、走行運動を行うことができ、良好な運動効果を得ることができる。又、歩行、走行運動時に、上記のように、体が左又は右に傾くことを防止できるので、左右の各足からエンドレスベルト９に掛かる荷重に大きな差が生じることもなく、エンドレスベルト９が左又は右にずれる惧れを小さくできる。又、手摺フレーム２に取付けられた骨盤矯正ベルト３により使用者は保持されているので、エンドレスベルト９の長さが従来よりも長くされていることと相俟って、歩行、走行運動時に、使用者がエンドレスベルト９から後方に落下する惧れを小さくできる。
【００２０】
尚、上記実施の形態は、本考案を、「歩行、走行運動により、エンドレスベルトが循環回送される運動用具」に適用したものであるが、本考案は、「エンドレスベルトが電動モーター等により循環回送される運動用具」や、その他の「歩行、走行運動を行える運動用具」にも適用可能である。
【産業上の利用可能性】
【００２１】
本考案は、歩行、走行運動を行う運動器具に適用できる。
【符号の説明】
【００２２】
１  器具本体
２  手摺フレーム
３  骨盤矯正ベルト
６  本体フレーム
７，８  前・後ローラ
９  エンドレスベルト
１０  支持フレーム
１２，１３  支軸１
２３  ベルト本体
２４  接続ベルト
２５  取付リング
２６  取付ベルト
２９  介装体
３２，３３  接続部３
３２Ａ，３３Ａ  雄・雌連結部
３５，３６  取付部３
３５Ａ，３６Ａ  雄連結部
３５Ｂ，３６Ｂ  雌連結部
【図１】
0003154336.tif 000003
【図２】
0003154336.tif 000004
【図３】
0003154336.tif 000005
【図４】
0003154336.tif 000006
【図５】
0003154336.tif 000007
【図６】
0003154336.tif 000008
【図７】
0003154336.tif 000009
【図８】
0003154336.tif 000010
【図９】
0003154336.tif 000011
【図１０】
0003154336.tif 000012
【図１１】
0003154336.tif 000013